(57)【特許請求の範囲】
【請求項１】
各種のモード画像を表示可能な表示装置と、前記表示装置に表示させるモード画像の選択、及び外部機器を含む射出成形機の動作条件の設定を行う入力装置と、前記入力装置の出力信号に基づいて前記表示装置の表示制御を行うと共に、前記入力装置を操作することにより設定された動作条件設定値に基づいて、前記外部機器を含む射出成形機の動作制御を行うコントローラとを備えた成形条件設定装置において、
前記コントローラは、前記入力装置により前記表示装置へのオプション動作設定モード画像の表示が選択されたとき、前記コントローラに接続された全ての外部機器の名称が列記された外部機器名表示欄と、当該外部機器名表示欄に表示された各外部機器の動作開始モードを射出成形機が実行する複数の工程名から選択して設定する動作開始モード設定欄とを含んで構成される、オプション動作設定モード画像を前記表示装置に表示することを特徴とする成形条件設定装置。
【請求項２】
前記動作開始モード設定欄は、前記外部機器名表示欄に列記された外部機器のそれぞれに対応する形式で表示されており、射出成形機が実行する各工程の工程名を入力することにより、対応する前記外部機器の動作開始モードを設定するように構成されていることを特徴とする請求項１に記載の成形条件設定装置。
【請求項３】
前記動作開始モード設定欄には、前記外部機器名表示欄に列記された外部機器のそれぞれに対応する形式で動作開始モード選択ボタンが表示されており、オペレータが前記入力装置を用いて当該動作開始モード選択ボタンの１つを選択操作すると、所要の工程名が表記された複数の工程名選択ボタンがポップアップ表示され、オペレータが前記入力装置を用いて当該工程名選択ボタンの１つを選択操作すると、オペレータが前記入力装置を用いて選択操作した前記動作開始モード選択ボタンに対応する前記動作開始モード設定欄に、オペレータが前記入力装置を用いて選択操作した前記工程名選択ボタンに表記された工程名が設定されることを特徴とする請求項１及び請求項２のいずれか１項に記載の成形条件設定装置。
【請求項４】
前記オプション動作設定モード画像には、前記動作開始モード設定欄の設定内容に拘わらず、前記外部機器の駆動を強制的に停止させるための強制停止モード設定欄を更に備え、当該強制停止モード設定欄は、前記外部機器名表示欄に列記された外部機器のそれぞれに対応する形式で表示されており、射出成形機が実行する各工程の工程名を入力することにより、対応する前記外部機器の強制停止モードを設定するように構成されていることを特徴とする請求項１乃至請求項３のいずれか１項に記載の成形条件設定装置。
【請求項５】
前記強制停止モード設定欄には、前記外部機器名表示欄に列記された外部機器のそれぞれに対応する形式で強制停止モード選択ボタンが表示されており、オペレータが前記入力装置を用いて当該強制停止モード選択ボタンの１つを選択操作すると、所要の工程名が表記された複数の工程名選択ボタンがポップアップ表示され、オペレータが前記入力装置を用いて当該工程名選択ボタンの１つを選択操作すると、オペレータが前記入力装置を用いて選択操作した前記強制停止モード選択ボタンに対応する前記強制停止モード設定欄に、オペレータが前記入力装置を用いて選択操作した前記工程名選択ボタンに表記された工程名が設定されることを特徴とする請求項４に記載の成形条件設定装置。
【請求項６】
前記オプション動作設定モード画像には、射出成形機が実行する各工程の工程名を時系列的に配置して表示する工程表示欄と、前記外部機器名表示欄に表示された各外部機器の起動から停止までの稼動範囲を前記工程表示欄に沿って表示する稼動範囲表示欄を更に表示し、当該稼動範囲表示欄には、前記各外部機器の稼動範囲を矢印で表示することを特徴とする請求項１乃至請求項５のいずれか１項に記載の成形条件設定装置。
【請求項７】
前記オプション動作設定モード画像には、前記動作開始モード設定欄に設定された工程名で指定される状態に射出成形機が至ったタイミングから、実際に前記外部機器が動作を開始するまでの遅延時間を設定する遅延時間設定欄と、前記外部機器の動作時間を設定する動作時間設定欄とを更に表示することを特徴とする請求項１乃至請求項６のいずれか１項に記載の成形条件設定装置。
【発明の詳細な説明】
【技術分野】
【０００１】
本発明は、射出成形機の成形条件設定装置に係り、特に、外部機器の動作条件を設定するためのオプション動作設定を容易化する手段に関する。
【背景技術】
【０００２】
射出成形機は、固定側金型及び可動側金型からなる金型装置と、金型装置を開閉操作する型開閉装置と、可塑化された樹脂材料を金型装置に形成されたキャビティ内に射出充填する射出装置と、金型装置から固化した成形品を取り出すエジェクト装置と、これら各装置の駆動を制御するコントローラとから主に構成されている。また、作製しようとする成形品の形状や使用する樹脂材料の物性によっては、上述の各装置からなる成形機本体に、例えばバルブゲート装置、中子装置、ねじ抜き装置、エア装置、コンベア装置などの外部機器が付設される。
【０００３】
バルブゲート装置は、金型装置のゲート部を射出のタイミングに合わせて１ショット毎に開く装置である。中子装置は、中空部を有する成形品に形成するために金型装置のキャビティ内に中子を出入させる装置である。ねじ抜き装置は、雌ねじを有する成形品を形成するために金型装置のキャビティ内に雄ねじ状の中子を回転可能に出入させる装置である。エア装置は、金型装置から成形品を引き剥がすために金型装置のキャビティ内にエアを吹き込んだり、真空成形時に金型装置のキャビティ面にシート材を密着させるために金型装置のキャビティ内を真空引きする装置である。コンベア装置は、金型装置からエジェクトされた成形品を所定の位置まで搬送する装置である。近年においては、成形品の多様化に伴い、これら外部機器の動作条件を厳密かつ多様に設定することが求められている。また、新たな外部機器が開発された場合を考慮し、各種の外部機器についてのオプション動作設定を容易に行えるようにすることも求められている。
【０００４】
所望の成形品を高能率に成形するためには、金型装置を交換するたびに、使用する樹脂材料の物性や成形品の形状及びサイズ等に応じて、外部機器を含む射出成形機の成形運転条件を適正に設定する必要がある。しかしながら、成形運転条件の設定項目は多岐にわたるので、その設定作業を効率的かつ漏れなく行うためには、オペレータに高い熟練度が要求される。このような問題を解消するため、従来、射出成形機にタッチパネル等の入力装置が付設された表示装置を備え、当該表示装置に外部機器を含む射出成形機の動作項目表示欄及び動作項目設定欄を表示して、オペレータによる成形運転条件の設定を支援するものが知られている。この種の成形条件設定装置を備えた射出成形機は、オペレータが表示装置に表示された動作項目表示欄を参照しながら入力装置を操作することにより、対話形式で各動作項目設定欄に所要の設定値を設定することができるので、熟練者でなくとも多岐に亘る成形運転条件の設定作業を効率的かつ漏れなく行うことができる。
【０００５】
本願の出願人は、先に、この種の成形条件設定装置として、オプション動作設定モード画像を表示装置に表示させ、当該画像上で外部機器のオプション動作条件を設定するものを提案した（例えば、特許文献１、２、３参照。）。成形条件設定装置のコントローラには、表示装置に表示されたオプション動作設定モード画像の各動作項目設定欄に対応する出力端子が設けられており、当該出力端子に所要の外部機器を接続することにより、動作項目設定欄に設定された動作条件で当該外部機器の動作制御を行うことができる。なお、特許文献３の図４に記載されているように、オプション動作設定モード画像上では、通常、「型開開始」或いは「型開完了」などの工程名が設定され、工程名による機器の制御、いわゆる工程制御が行われる。
【先行技術文献】
【特許文献】
【０００６】
【特許文献１】特開平５−５０４７９号公報
【特許文献２】特開平５−５７７７４号公報
【特許文献３】特開２００７−９８８１０号公報
【発明の概要】
【発明が解決しようとする課題】
【０００７】
特許文献１、３に記載の技術は、中子装置又はねじ抜き装置を備えた射出成形機の型開閉オプション動作設定に関するものであり、特許文献２に記載の技術は、ノズル駆動装置及びノズルチェック弁駆動装置を備えた射出成形機のチャージオプション動作設定に関するものである。このように、従来においては、新たなオプション動作設定が必要になる毎に、それに応じた新たなオプション動作設定モード画像をプログラミングして成形条件設定装置に追加するという方法でオプション動作設定が行われている。
【０００８】
また、従来においては、外部機器についてのオプション動作設定が、全てオプション動作設定モード画像上で行われるとは限られておらず、オペレータによっては、オプション動作設定モード画像以外の他の動作設定モード画像を用いて、射出成形機のオプション動作設定を行う場合もある。なお、オプション動作設定モード画像以外の他の動作設定モード画像では、通常、「型開開始時点から５秒間」或いは「型開完了時点から５秒間」などの型開閉と関連付けた時間が設定され、時間による機器の制御、いわゆるタイマ制御（型開閉連動制御ともいう。）が行われる。
【０００９】
このように、従来の成形条件設定装置は、射出成形機に接続された全ての外部機器についてのオプション動作設定を１画面上で行うことができないので、オプション動作設定に際しては、動作設定モード画像の選択とオプション動作条件の設定とを必要なだけ繰り返さなくてはならず、オプション動作の設定作業に多大の労力を要する。また、全ての外部機器についてのオプション動作設定を１画面上で行うことができないことから、工程制御される外部機器とタイマ制御される外部機器とが混在しやすく、各外部機器の全体的な連動が把握しにくくなる。さらに、従来の成形条件設定装置においては、新たなオプション動作設定が必要になった場合、当該新たなオプション動作設定画像をプログラミングして成形条件設定装置に追加しなければならないので、成形条件の変更に迅速に対応することが困難である。
【００１０】
本発明は、このような従来技術の実情に鑑みてなされたものであり、その目的は、多様なオプション動作設定を容易に行うことができ、かつ複数の外部機器の連動状態を把握しやすい成形条件設定装置を提供することにある。
【課題を解決するための手段】
【００１１】
本発明は、上述の課題を解決するため、各種のモード画像を表示可能な表示装置と、前記表示装置に表示させるモード画像の選択、及び外部機器を含む射出成形機の動作条件の設定を行う入力装置と、前記入力装置の出力信号に基づいて前記表示装置の表示制御を行うと共に、前記入力装置を操作することにより設定された動作条件設定値に基づいて、前記外部機器を含む射出成形機の動作制御を行うコントローラとを備えた成形条件設定装置において、前記コントローラは、前記入力装置により前記表示装置へのオプション動作設定モード画像の表示が選択されたとき、前記コントローラに接続された全ての外部機器の名称が列記された外部機器名表示欄と、当該外部機器名表示欄に表示された各外部機器の動作開始モードを射出成形機が実行する複数の工程名から選択して設定する動作開始モード設定欄とを含んで構成される、オプション動作設定モード画像を前記表示装置に表示することを特徴とする。
【００１２】
かかる構成によると、オプション動作設定モード画像に、コントローラに接続された全ての外部機器の名称と、それに対応する動作開始モード設定欄とが表示されるので、オペレータは入力装置を操作することにより、全ての外部機器についての動作開始モードの設定を１つのオプション動作設定画像上で行うことができる。よって、表示装置に種々の画面を順番に呼び出して、それぞれの外部機器についてのオプション動作設定を順番に行う場合に比べて、オプション動作の設定作業を効率的に行うことができる。
【００１３】
また本発明は、前記構成の成形条件設定装置において、前記動作開始モード設定欄は、前記外部機器名表示欄に列記された外部機器のそれぞれに対応する形式で表示されており、射出成形機が実行する各工程の工程名を入力することにより、対応する前記外部機器の動作開始モードを設定するように構成されていることを特徴とする。
【００１４】
かかる構成によると、コントローラに接続された全ての外部機器を工程制御により動作制御できるので、各外部機器の連動を把握しやすい。よって、各外部機器の動作制御を適正化できて、良品の高能率な製造が可能になる。
【００１５】
また本発明は、前記構成の成形条件設定装置において、前記動作開始モード設定欄には、前記外部機器名表示欄に列記された外部機器のそれぞれに対応する形式で動作開始モード選択ボタンが表示されており、オペレータが前記入力装置を用いて当該動作開始モード選択ボタンの１つを選択操作すると、所要の工程名が表記された複数の工程名選択ボタンがポップアップ表示され、オペレータが前記入力装置を用いて当該工程名選択ボタンの１つを選択操作すると、オペレータが前記入力装置を用いて選択操作した前記動作開始モード選択ボタンに対応する前記動作開始モード設定欄に、オペレータが前記入力装置を用いて選択操作した前記工程名選択ボタンに表記された工程名が設定されることを特徴とする。
【００１６】
かかる構成によると、オペレータは、動作開始モード選択ボタンの選択操作と工程名選択ボタンの選択操作とを行うだけで、所要の外部機器についての所要のオプション動作の設定を行うことができるので、外部機器毎に動作開始モードを文字入力する場合に比べて、オプション動作の設定作業を効率的に行うことができる。
【００１７】
また本発明は、前記構成の成形条件設定装置において、前記オプション動作設定モード画像には、前記動作開始モード設定欄の設定内容に拘わらず、前記外部機器の駆動を強制的に停止させるための強制停止モード設定欄を更に備え、当該強制停止モード設定欄は、前記外部機器名表示欄に列記された外部機器のそれぞれに対応する形式で表示されており、射出成形機が実行する各工程の工程名を入力することにより、対応する前記外部機器の強制停止モードを設定するように構成されていることを特徴とする。
【００１８】
かかる構成によると、オプション動作設定モード画像に強制停止モード設定欄を表示し、外部機器を強制停止できるようにしたので、工程制御だけでは行い得ない外部機器の精緻な動作制御が可能になり、良品を高能率に製造することが可能になる。また、強制停止モード設定欄にも射出成形機が実行する各工程の工程名を入力するので、外部機器の起動と停止の連動を把握しやすく、この点からも外部機器の精緻な動作制御が可能となる。
【００１９】
また本発明は、前記構成の成形条件設定装置において、前記強制停止モード設定欄には、前記外部機器名表示欄に列記された外部機器のそれぞれに対応する形式で強制停止モード選択ボタンが表示されており、オペレータが前記入力装置を用いて当該強制停止モード選択ボタンの１つを選択操作すると、所要の工程名が表記された複数の工程名選択ボタンがポップアップ表示され、オペレータが前記入力装置を用いて当該工程名選択ボタンの１つを選択操作すると、オペレータが前記入力装置を用いて選択操作した前記強制停止モード選択ボタンに対応する前記強制停止モード設定欄に、オペレータが前記入力装置を用いて選択操作した前記工程名選択ボタンに表記された工程名が設定されることを特徴とする。
【００２０】
かかる構成によると、オペレータは、強制停止モード選択ボタンの選択操作と工程名選択ボタンの選択操作とを行うだけで、所要の外部機器についての所要の強制停止動作の設定を行うことができるので、外部機器毎に強制停止モードを文字入力する場合に比べて、強制停止動作の設定作業を効率的に行うことができる。
【００２１】
また本発明は、前記構成の成形条件設定装置において、前記オプション動作設定モード画像には、射出成形機が実行する各工程の工程名を時系列的に配置して表示する工程表示欄と、前記外部機器名表示欄に表示された各外部機器の起動から停止までの稼動範囲を前記工程表示欄に沿って表示する稼動範囲表示欄を更に表示し、当該稼動範囲表示欄には、前記各外部機器の稼動範囲を矢印で表示することを特徴とする。
【００２２】
かかる構成によると、オプション動作設定モード画像に表示された工程表示欄に沿って各外部機器の稼動範囲を矢印で表示するので、オペレータが各外部機器の稼動範囲を視覚的・直感的に把握しやすく、オプション動作設定が正しく行われたか否かの評価を容易に行うことができる。
【００２３】
また本発明は、前記構成の成形条件設定装置において、前記オプション動作設定モード画像には、前記動作開始モード設定欄に設定された工程名で指定される状態に射出成形機が至ったタイミングから、実際に前記外部機器が動作を開始するまでの遅延時間を設定する遅延時間設定欄と、前記外部機器の動作時間を設定する動作時間設定欄とを更に表示することを特徴とする。
【００２４】
かかる構成によると、オプション動作設定モード画像に遅延時間設定欄と動作時間設定欄とを更に表示するので、工程制御だけでは行い得ない外部機器の精緻な動作制御が可能になり、良品を高能率に製造することができる。
【発明の効果】
【００２５】
本発明によると、入力装置により表示装置へのオプション動作設定モード画像の表示が選択されたとき、コントローラが、当該コントローラに接続された全ての外部機器の名称が列記された外部機器名表示欄と、当該外部機器名表示欄に表示された各外部機器の動作開始モードを設定する動作開始モード設定欄とを含んで構成される、オプション動作設定モード画像を表示装置に表示するので、オペレータは入力装置を操作することにより、全ての外部機器についてのオプション動作設定を１つのオプション動作設定モード画像上で行うことができて、複数の外部機器についてのオプション動作の設定作業を効率的に行うことができる。
【図面の簡単な説明】
【００２６】
【図１】実施形態に係る成形条件診断装置の構成を示すブロック図である。
【図２】実施形態に係るオプション動作設定モード画像を示す図である。
【図３】外部機器の動作開始モードを規制する工程名を例示する表図である。
【図４】動作開始モードの設定手順を示す図である。
【図５】外部機器の強制停止モードを規制する工程名を例示する表図である。
【図６】強制停止モードの設定手順を示す図である。
【発明を実施するための形態】
【００２７】
以下、本発明に係る成形条件設定装置の実施形態を、図を参照しながら説明する。なお、以下に記載の実施形態は、本発明を具体化する際の一態様を示すものであって、本発明の範囲が当該記載の範囲に限定されるものではない。
【００２８】
実施形態に係る成形条件設定装置は、外部機器を含む射出成形機の動作制御装置と一体に構成されており、図１に示すように、外部機器を含む射出成形機全体の動作制御や表示制御などを司るマイクロコンピュータ（コントローラ）１と、射出成形機の各部に備えられた多数のセンサで構成されるセンサ群２と、外部機器を含む射出成形機に備えられた多数の駆動装置（制御対象機器）を駆動するための多数のドライバ回路で構成されたドライバ群３と、各種のモード画像を表示するカラーＬＣＤなどの表示装置４と、表示装置４に表示させるモード画像の選択及び制御対象機器に対する動作条件の設定を行うキー入力装置５とから主に構成されている。
【００２９】
マイクロコンピュータ１は、チャージ動作、射出動作、型開閉動作、エジェクタ動作等の成形行程全体の制御や、実測データの演算・格納処理、良品／不良品の判定処理、異常判定処理等の演算・判定処理、及び前記表示装置４の出力画像の表示制御処理等々の各種処理を実行する。なお、マイクロコンピュータ１は、各種Ｉ／Ｏインターフェイス、ＲＯＭ、ＲＡＭ、ＣＰＵ等から構成され、予め作成された各種プログラムにより各種処理を実行するものであり、本実施例においては、成形条件設定記憶部１１、成形プロセス制御部１２、実測値記憶部１３、表示処理部１４、キー入力処理部１５、オプション動作設定処理部１６等を備えている。なお、前記表示処理部１４には、データ変換処理部１７、表示用固定データ格納部１８、表示画像データ生成部１９等が設けられている。
【００３０】
成形条件設定記憶部１１には、キー入力装置５によりキー入力処理部１５を介して入力された各種運転条件値が、書き替え可能な形で記憶されており、この運転条件値としては、例えば、増締力、可塑化工程時のスクリュー位置とスクリュー回転数、スクリュー後退速度、及び背圧との関係、サックバック制御条件、射出開始点（位置）から保圧切替点（位置）までの射出速度条件並びに１次射出圧力条件、保圧切替時点から保圧終了時点までの保圧圧力条件、各部のバンドヒータ温度、型閉じ（型締め）ストロークと速度制御条件並びに型締力、型開きストロークと速度制御条件、エジェクタ制御条件、型開閉オプション動作順序の制御条件等の射出成形機本体に関する運転条件値と、例えばバルブゲート装置、中子装置、ねじ抜き装置、エア装置、コンベア装置等の外部機器に関する運転条件値とが含まれる。
【００３１】
成形プロセス制御部１２は、予め作成された成形プロセス制御プログラムと、成形条件設定記憶部１１に格納された設定条件値とに基づき、射出成形機各部に配設されたセンサ群２（位置センサ、圧力センサ、温度センサ等々）からの計測情報及び自身に内蔵されたクロックからの計時情報を参照しつつ、ドライバ群３（モータドライバ、油圧シリンダドライバ、ヒータドライバ等々）を介して対応する制御対象機器を動作制御し、一連の成形行程を実行させる。
【００３２】
実測値記憶部１３には、連続自動運転時における予め設定されたモニタ項目の総べての実測データが、連続する所定回数のショットにわたって取り込まれる。取り込まれるモニタ項目としては、時間監視項目、位置監視項目、回転数監視項目、速度監視項目、圧力監視項目、温度監視項目、電力監視項目等が挙げられ、前記した成形運転条件設定項目の重要項目がほぼオーバーラップするようになっている。
【００３３】
表示処理部１４は、キー入力装置５によるオペレータが所望するモードの表示画像の呼び出し指令によって、予め作成された表示画像作成・制御プログラムに基づき、指定された表示モードの表示画像データを作成する。即ち、オペレータによる所定の表示画像の呼び出し指令が到来すると、表示処理部１４のデータ変換処理部１７は、必要に応じ成形条件設定記憶部１１や実測値記憶部１３に格納された情報から当該表示モード画像の表示に用いるためのデータを抽出すると共に、これらを指定された当該表示モード画像の表示形態に対応した形に変換処理する。例えば、指定された表示モードが或る行程のグラフィック画像であると、抽出したデータを所定拡大／縮小率で線描化処理した画像データに変換処理したり、また、指定された表示モードが或る行程の運転状態設定画像であると、抽出したデータを数値画像データに変換処理等する。そして、これらのデータ変換処理部１７の生成処理データは、前記表示画像データ生成部１９に取り込まれる。一方、前記表示用固定データ格納部１８に予め作成されて格納されている多数のモード画像用の固定データたる文字、記号、グラフィック図形、罫線データ等々から、当該表示モード画像の表示に用いるためのデータが抽出されて、これが表示画像データ生成部１９に取り込まれ、前記データ変換処理部１７の生成処理データとともに表示用の画像データとして合成される。これによって、表示画像データ生成部１９には、指定された表示モード用の画像データが作成され、これが書き換え可能に保持される。そして、この表示画像データ生成部１９の画像データは、図示せぬフレームバッファに転送されて一時記憶され、表示処理部１４の指令によってこのフレームバッファの出力が前記表示装置４に送出されて、表示装置４の表示画面６上には所定モードの画像データが表示されることになる。なお、所定画像の表示状態において、キー入力装置５からキー入力処理部１５を介して適宜入力される数値データ等は、データ変換処理部１７に取り込まれて数値画像データ等に変換され、表示画像データの一部として合成される。
【００３４】
マイクロコンピュータ１に備えたオプション動作設定処理部１６は、オプション動作の動作順序の設定処理を司り、オペレータがキー入力装置５からキー入力処理部１５を介し指示したオプション動作項目とこの動作順序とを、必要に応じ適宜変換処理を施して前記成形条件設定記憶部１１に転送し、該成形条件設定記憶部１１の所定記憶エリアに、オプション動作項目データとこの動作順序データとを格納させる。また、オプション動作設定処理部１６は、前記表示処理部１４にもオペレータの指示内容を転送し、必要に応じ表示処理部１４をして、運転条件設定モード画像中のオプション動作設定モード画像の内容を変更する。
【００３５】
図２は、オペレータがキー入力装置５を操作することによって呼び出したオプション動作設定モード画像を示す図である。この図から明らかなように、本実施形態に係るオプション動作設定モード画像２０には、マイクロコンピュータ１に接続された全ての外部機器の名称が列記された外部機器名表示欄２１と、当該外部機器名表示欄２１に表示された各外部機器の動作開始モードを設定する動作開始モード設定欄２２と、外部機器が動作開始モード設定欄２２に設定された動作開始モードに至ったタイミングから、実際に当該外部機器が動作を開始するまでの遅延時間を設定する遅延時間設定欄２３と、その動作時間を設定する動作時間設定欄２４と、動作の開始位置を設定する動作開始位置設定欄２５と、動作開始モード設定欄２２の設定内容に拘わらず、外部機器の駆動を強制的に停止させるための強制停止モード設定欄２６とが表示される。動作開始モード設定欄２２、遅延時間設定欄２３、動作時間設定欄２４、動作開始位置設定欄２５及び強制停止モード設定欄２６は、外部機器名表示欄２１に表示された各外部機器に対応付けて表示される。
【００３６】
また、このオプション動作設定モード画像２０には、図２に示すように、射出成形機が実行する各工程の工程名を時系列的に配置して表示する工程表示欄２７と、外部機器名表示欄２１に表示された各外部機器の起動から停止までの稼動範囲を工程表示欄２７に沿って表示する稼動範囲表示欄２８が更に表示される。
【００３７】
外部機器名表示欄２１には、図２に例示するように、射出成形機に接続された外部機器の名称、例えばバルブゲート装置、中子装置、ねじ抜き装置、エア装置、コンベア装置などが表示される。なお、図２の例では、バルブゲート装置、エア装置及びコンベア装置のみ表示されている。外部機器名表示欄２１中の「オプション１」は、将来において他の外部機器名を追加できるようにするための空欄である。この空欄を設けておくことにより、将来における他の外部機器名の追加が可能になり、成形条件の多様化に対応することができる。
【００３８】
動作開始モード設定欄２２には、射出成形機が実行する各工程の工程名が入力される。これにより、射出成形機に接続された外部機器の工程制御が可能になる。外部機器の動作開始モードを規制する工程名としては、図３に例示するように、型開位置、型開完了、型閉位置、型閉完了、可塑化位置、可塑化中、可塑化完了、射出位置、射出中、射出完了、型閉高圧切替位置、型開高圧切替位置、自動中、良品／不良品の判定処理中、中子１入り、中子１戻りなどがある。なお、型開位置、型開完了、可塑化完了、射出中、型開高圧切替位置、自動中、良品／不良品の判定処理中については、公知に属する従来の成形条件設定装置にも備えられており、本実施形態においては、型閉位置、型閉完了、可塑化位置、可塑化中、射出位置、射出完了、型閉高圧切替位置、中子１入り、中子１戻りを新たに追加している。これにより、外部機器のオプション動作の多様化を図ることができる。
【００３９】
動作開始モード設定欄２２には、図２に示すように、外部機器名表示欄２１に列記された外部機器のそれぞれに対応する位置に、動作開始モード選択ボタン２９ａ〜２９ｄが表示されている。オペレータがキー入力装置５を操作して、当該動作開始モード選択ボタン２９ａ〜２９ｄの１つを選択すると、図４に示すように、所要の工程名が表記された複数の工程名選択ボタン３０ａ〜３０ｐがオプション動作設定モード画像２０にポップアップ表示される。オペレータがキー入力装置５を操作して当該工程名選択ボタン３０ａ〜３０ｐの１つを選択すると、先に選択した動作開始モード選択ボタンに対応する動作開始モード設定欄２２に、選択した工程名選択ボタン３０ａ〜３０ｐに表記された工程名が設定される。例えば、オペレータがキー入力装置５を操作して動作開始モード選択ボタン２９ａと工程名選択ボタン３０ａを選択すると、エア装置の動作開始モード設定欄２２に、動作開始モードとして、型開位置が設定される。これにより、動作開始モード設定欄２２に対する動作開始モードの設定作業を容易化することができる。
【００４０】
強制停止モード設定欄２６は、動作開始モード設定欄２２の設定内容に拘わらず、外部機器の駆動を強制的に停止させるためのもので、当該欄２６には、必要に応じて、射出成形機が実行する各工程の工程名が入力される。これにより、射出成形機に接続された外部機器のより精緻な動作制御が可能になる。外部機器の強制停止モードを規制する工程名としては、図５に例示するように、射出開始、射出完了、型閉開始、型開開始、可塑化開始、可塑化完了、中子１完了などがある。また、この強制停止モード設定欄２６には、外部機器の強制停止モードを解除するＯＦＦも表示される。なお、ＯＦＦ、射出完了、型閉開始については、公知に属する従来の成形条件設定装置にも備えられており、本実施形態においては、射出開始、型開開始、可塑化開始、可塑化完了、中子１完了を新たに追加している。これにより、外部機器のオプション動作の多様化を図ることができる。
【００４１】
強制停止モード設定欄２６には、図２に示すように、外部機器名表示欄２１に列記された外部機器のそれぞれに対応する位置に、強制停止モード選択ボタン３１ａ〜３１ｄが表示されている。オペレータがキー入力装置５を操作して、当該強制停止モード選択ボタン３１ａ〜３１ｄの１つを選択すると、図６に示すように、所要の工程名が表記された複数の工程名選択ボタン３２ａ〜３２ｈがオプション動作設定モード画像２０にポップアップ表示される。オペレータがキー入力装置５を操作して当該工程名選択ボタン３２ａ〜３２ｈの１つを選択すると、先に選択した強制停止モード選択ボタンに対応する強制停止モード設定欄２６に、選択した工程名選択ボタン３２ａ〜３２ｈに表記された工程名が設定される。例えば、オペレータがキー入力装置５を操作して強制停止モード選択ボタン３１ａと工程名選択ボタン３２ｈを選択すると、エア装置の強制停止モード設定欄２６に、強制停止モードとして、中子１完了が設定される。これにより、強制停止モード設定欄２６に対する強制停止モードの設定作業を容易化することができる。
【００４２】
オプション動作設定モード画像２０の稼動範囲表示欄２８には、外部機器名表示欄２１に列記された各外部機器の稼動範囲が工程表示欄２７に沿う矢印３３で表示される。これにより、各外部機器の連動状況を容易に確認することができ、外部機器の精緻な動作制御が可能となる。
【００４３】
実施形態に係る成形条件設定装置は、オプション動作設定モード画像２０に、マイクロコンピュータ１に接続された全ての外部機器の名称が列記された外部機器名表示欄２１と、それに対応する動作開始モード設定欄２２とを表示するので、オペレータはキー入力装置５を操作することにより、全ての外部機器についての動作開始モードの設定を１つのオプション動作設定モード画像上で行うことができる。よって、表示装置に種々の画面を順番に呼び出して、それぞれの外部機器についてのオプション動作設定を順番に行う場合に比べて、オプション動作の設定作業を効率的に行うことができる。また、実施形態に係る成形条件設定装置は、外部機器名表示欄２１に列記された外部機器の全てについて、射出成形機が実行する各工程の工程名で動作開始モード及び強制停止モードを設定するようにしたので、各外部機器の連動状態を把握しやすく、各外部機器の動作制御を適正化できて、良品の高能率な製造が可能になる。
【符号の説明】
【００４４】
１・・・マイクロコンピュータ（コントローラ）
２・・・センサ群
３・・・ドライバ群
４・・・表示装置
５・・・キー入力装置（入力装置）
１１・・・成形条件設定記憶部
１２・・・成形プロセス制御部
１３・・・実測値記憶部
１４・・・表示処理部
１５・・・キー入力処理部
１６・・・オプション動作設定処理部
１７・・・データ変換処理部
１８・・・表示用固定データ格納部
１９・・・表示画像データ生成部
２０・・・オプション動作設定モード画像
２１・・・外部機器名表示欄
２２・・・動作開始モード設定欄
２３・・・遅延時間設定欄
２４・・・動作時間設定欄
２５・・・動作開始位置設定欄
２６・・・強制停止モード設定欄
２７・・・工程表示欄
２８・・・稼動範囲表示欄
２９ａ〜２９ｆ・・・動作開始モード選択ボタン
３０ａ〜３０ｐ・・・工程名選択ボタン
３１ａ〜３１ｆ・・・強制停止モード選択ボタン
３２ａ〜３２ｈ・・・工程名選択ボタン
【図１】
0005923388.tif 000002
【図２】
0005923388.tif 000003
【図３】
0005923388.tif 000004
【図４】
0005923388.tif 000005
【図５】
0005923388.tif 000006
【図６】
0005923388.tif 000007